(57)【特許請求の範囲】
【請求項１】
複数本の金属製の床小梁の上に複数本の木製の床根太が架け渡されて取り付けられた床構造を備えた建物ユニットが水平方向、垂直方向に組み立てられ、下階の建物ユニットの床から上階の建物ユニットを経て小屋裏まで貫通した界壁によって内部が区切られたユニット建物であって、前記界壁は上階の建物ユニットの床小梁位置で床と交差し、この界壁と交差する部分の床根太が切り取られ、この床根太の切り取られた端部が床小梁の上に設けられた金属板の上に載せられ、界壁は床と交差する位置で、床上界壁と床下界壁とに分割され、床上界壁は前記金属板の上面に立設され、床下界壁はこの金属板の下面に、床小梁を内部に挿入した状態にして、取り付けられていることを特徴とするユニット建物。
【請求項２】
複数本の金属製の床小梁の上に複数本の木製の床根太が架け渡されて取り付けられた床構造を備えた建物ユニットが水平方向、垂直方向に組み立てられ、下階の建物ユニットの床から上階の建物ユニットを経て小屋裏まで貫通した界壁によって内部が区切られたユニット建物であって、前記界壁は上階の建物ユニットの床小梁位置で床と交差し、この界壁と交差する部分の床根太が切り取られ、この床根太の切り取られた端部が床小梁の上に設けられた金属板の上に載せられ、界壁は床と交差する位置で床上界壁と床下界壁とに分割され、床上界壁は切り取られた両側の床根太の端部上面に架け渡された上側金属板の上面に立設され、床下界壁は前記金属板の下面に、床小梁を内部に挿入した状態にして、取り付けられていることを特徴とするユニット建物。
【発明の詳細な説明】
【０００１】
【発明の属する技術分野】
本発明は、内部を界壁で区切って複数戸に分割したり、防火用の界壁で区切って防火性能をよくしたユニット建物に関する。
【０００２】
【従来の技術】
ユニット建物は、運搬可能な一定の大きさの箱形の、且つ、内部、外部の仕上げられた建物ユニットを、予め、工場で製造し、この建物ユニットの複数個を施工現場に運搬し、施工現場で組み立てて建物となすもので、現場施工期間が短く、且つ、寸法精度の良い標準化された建物となる特徴があることから広く採用されている。
【０００３】
このユニット建物に使用する建物ユニットとしては、特公昭６２−６２２２４号公報に記載あるように、方形の四隅に配置された４本の鋼製の柱と、４本の柱の下端部を辺に沿って連結する４本の鋼製の床梁と、４本の柱の上端部を辺に沿って連結する４本の鋼製の天井梁とからなる骨格を有し、この骨格の相対する床梁に複数本の鋼製の床小梁を差し渡し、この床小梁の上に複数本の木製の床根太を架け渡して取り付け、この床根太の上に床材を取り付けて床を形成し、相対する天井梁に木製の天井野縁を差し渡し、この天井野縁の下面に天井材を取り付けて天井を形成し、壁を設ける場所には、天井梁と床梁との間に間柱を取り付け、この間柱の屋外側に外壁を、又、屋内側に内壁を取り付け、この内壁と外壁との間に断熱材を取り付けて壁を形成したものが多く使用されている。
そして、ユニット建物は、この建物ユニットを水平方向に隣接させて据え付け、この上に建物ユニットを据え付けるというように、水平方向と垂直方向に組み立てたものである。
【０００４】
このユニット建物等の建物では、下階の床から上階を経て小屋裏まで貫通した界壁を設けて複数戸に分割したり、防火性能の優れた界壁を設けて防火性能を向上させることが多い。
特に複数戸に分割したマンション等では、住戸と住戸との間に下階の床から上階を経て小屋裏まで貫通した防火性能のよい界壁を設けることが必要である。
しかし、上記建物ユニットでは、床材や天井梁を取り付け易いように、木製の床根太や天井野縁を使用しているので、この木製の床根太や木製の天井野縁を通って界壁の反対側に燃え拡がり防火性能が低下するという問題がある。
かかる問題を解決する手段としては、特許第２６０７７１４号に記載されているように、この床根太や天井野縁の界壁と交差する部分に界壁金具を取り付けたり、交差する位置の床根太に金属隔壁を設けることが知られている。
【０００５】
【発明が解決しようとする課題】
しかし、上記のようにして界壁金具や金属隔壁を設けていると天井梁部分では問題がないが、床部分では次に示す問題が発生する。
即ち、界壁と交差する床根太に金属隔壁を設けると、床根太がこの金属隔壁によって分割されるために、この連結部分の機械的強度が弱くなり、床の上に重い物を載せたり、重い物を落下させたりして力が加わると、この連結部分で床根太が折れ易いという問題がある。
【０００６】
かかることを防止するために、従来では、この連結部の両側に分割された床根太の端部を支持する補強床小梁を取り付けていたが、コストが増加するという問題がある。
そこで、本発明の目的は、補強床小梁を取り付けなくとも界壁と交差する部分の床根太の機械的強度が低下しない安価なユニット建物を提供することである。
【０００７】
【課題を解決するための手段】
本発明は上記目的を達成するためになしたものであって、請求項１記載の発明は、複数本の金属製の床小梁の上に複数本の木製の床根太が架け渡されて取り付けられた床構造を備えた建物ユニットが水平方向、垂直方向に組み立てられ、下階の建物ユニットの床から上階の建物ユニットを経て小屋裏まで貫通した界壁によって内部が区切られたユニット建物であって、前記界壁は上階の建物ユニットの床小梁位置で床と交差し、この界壁と交差する部分の床根太が切り取られ、この床根太の切り取られた端部が床小梁の上に設けられた金属板の上に載せられ、界壁は床と交差する位置で、床上界壁と床下界壁とに分割され、床上界壁は前記金属板の上面に立設され、床下界壁はこの金属板の下面に、床小梁を内部に挿入した状態にして、取り付けられているものである。
【０００８】
請求項２記載の発明は、複数本の金属製の床小梁の上に複数本の木製の床根太が架け渡されて取り付けられた床構造を備えた建物ユニットが水平方向、垂直方向に組み立てられ、下階の建物ユニットの床から上階の建物ユニットを経て小屋裏まで貫通した界壁によって内部が区切られたユニット建物であって、前記界壁は上階の建物ユニットの床小梁位置で床と交差し、この界壁と交差する部分の床根太が切り取られ、この床根太の切り取られた端部が床小梁の上に設けられた金属板の上に載せられ、界壁は床と交差する位置で床上界壁と床下界壁とに分割され、床上界壁は切り取られた両側の床根太の端部上面に架け渡された上側金属板の上面に立設され、床下界壁は前記金属板の下面に、床小梁を内部に挿入した状態にして、取り付けられているものである。
【０００９】
（作用）
請求項１記載の発明では、界壁は上階の建物ユニットの床小梁位置で床と交差し、この界壁と交差する部分の床根太が切り取られ、界壁は床と交差する位置で、床上界壁と床下界壁とに分割され、この床上界壁は金属板の上面に立設され、床下界壁はこの金属板の下面に、床小梁を内部に挿入した状態にして、取り付けられているから、界壁と床と交差する部分では、床上界壁と床下界壁との間に金属板と金属製の床小梁があるだけで木製の床根太は切り取られてない。即ち、界壁の一方から他方に貫通した燃え易い床根太等の木製品がなく、この請求項１記載の建物ユニットは防火性能のよい界壁で区切られている。
【００１０】
また、この床根太の切り取られた端部は床小梁の上に設けられた金属板の上に載せられているから、この床根太の切り取られた端部は床小梁の上に設けられた金属板に支持され床根太の機械的強度は低下しない。
【００１１】
請求項２記載の発明では、界壁は上階の建物ユニットの床小梁位置で床と交差し、この界壁と交差する部分の床根太が切り取られ、この界壁は床と交差する位置で床上界壁と床下界壁とに分割され、床上界壁は切り取られた両側の床根太の端部上面に架け渡された上側金属板の上面に立設され、床下界壁は床小梁の上に設けられた金属板の下面に、床小梁を内部に挿入した状態にして、取り付けられているから、界壁と床と交差する部分では、金属板、上側金属板および金属製の床小梁があるだけで木製の床根太は切り取られてない。即ち、界壁の一方から他方に貫通した燃え易い床根太等の木製品がなく、この請求項２記載のユニット建物は防火性能のよい界壁で区切られている。
【００１２】
また、この床根太の切り取られた端部は床小梁の上に設けられた金属板の上に載せられているから、この床根太の切り取られた端部は床小梁の上に設けられた金属板に支持され床根太の機械的強度は低下しない。
【００１３】
【発明の実施の形態】
次に、本発明の実施の形態を実施例で示す。
（実施例１）
図１〜図８は本発明のユニット建物の一実施例を示すもので、図１はユニット建物を示す斜視説明図、図２は図１のＡ−Ａ線における一部省略の断面図、図３は汎用建物ユニットの構成を示す一部切欠斜視図、図４は１階の界壁付き建物ユニットの構成を示す一部切欠斜視図、図５（イ）は２階の界壁付き建物ユニットの構成を示す一部切欠斜視図、（ロ）は（イ）のＢ部分の側面図、（ハ）は（イ）の床上界壁パネルを取り除いた状態の平面図、図６は床上界壁パネルの一部切欠斜視図、図７は床下界壁パネルの一部切欠斜視図、図８は天井上界壁パネルの一部切欠切欠図である。
【００１４】
図１〜図８において、Ｕはユニット建物であり、このユニット建物Ｕは、基礎９の上のほぼ中央に３個の１階の界壁付き建物ユニット２が据え付けられ、この両側に６個の汎用建物ユニット１が据え付けられ、１階の界壁付き建物ユニット２の上に２階の界壁付き建物ユニット３が据え付けられ、１階の汎用建物ユニット１の上に２階の汎用建物ユニット１が据え付けられ、この２階の界壁付き建物ユニットの上と汎用建物ユニット１の上とに折版屋根材４が取り付けられたものである。
【００１５】
汎用建物ユニット１は、図３に示すように、方形の四隅に配置された４本の四角筒状の鋼製の柱１１と、４本の柱の下端部を辺に沿って連結する４本の断面コ字形の鋼製の床梁１２と、４本の柱の上端部を辺に沿って連結する４本の断面コ字形の鋼製の天井梁１３とからなる骨格を有し、この骨格の相対する床梁１２に複数本の四角筒状の鋼製の床小梁１４を差し渡し、この床小梁１４の上に複数本の木製の床根太１５を架け渡して取り付け、この床根太１５の上に床材１６を取り付けて床を形成し、相対する天井梁１３に木製の天井野縁１７を差し渡し、この天井野縁１７の下面に天井材１８を取り付け、上側に厚み１２ｍｍの石膏ボードの耐火板７を取り付けて天井を形成し、壁を設ける場所には、天井梁１３と床梁１２との間に間柱１９を取り付け、この間柱１９の屋外側に外壁を、又、屋内側に内壁を取り付け、この内壁と外壁との間に断熱材を取り付けて壁を形成したものである。
【００１６】
１階の界壁付き建物ユニット２は、図４に示すように、上記汎用建物ユニット１に１階床上界壁パネル５１と１階天井上界壁パネル５２からなる１階界壁５が取り付けられたものである。
即ち、１階床上界壁パネル５１は、厚みがほぼ１４８ｍｍ、高さがほぼ２３９７ｍｍ（１階の界壁付き建物ユニット２の床から天井までの高さとほぼ等しい長さ）のパネルであり、図２、図６に示すように、枠体５１１に厚みほぼ１２ｍｍの石膏ボード５１２が取り付けられ、この上に厚みほぼ１２ｍｍの石膏ボード５１４が取り付けられたものが断熱板５１９を挟んで一体となったものある。
【００１７】
又、１階天井上界壁パネル５２は、厚みがほぼ１４８ｍｍ、高さがほぼ２２８ｍｍ（天井から天井梁１３の上面までの長さとほぼ等しい長さ）のパネルであり、図２、図８に示すように、枠体５２１に厚みほぼ１２ｍｍの石膏ボード５２２が取り付けられ、この上に厚みほぼ４ｍｍの石綿セメント珪酸カルシウム板５２３が取り付けられ、更に、その上に厚みほぼ１２ｍｍの石膏ボード５２４が取り付けられたものが断熱板５２９を挟んで一体にされ、下端面内部に厚みほぼ１２ｍｍの合板からなる連結板５２５が取り付けられたものである。
【００１８】
そして、１階界壁付き建物ユニット２は、図４に示すように、方形の四隅に配置された４本の四角筒状の鋼製の柱２１と、４本の柱の下端部を辺に沿って連結する４本の断面コ字形の鋼製の床梁２２と、４本の柱の上端部を辺に沿って連結する４本の断面コ字形の鋼製の天井梁２３とからなる骨格を有し、この骨格の相対する床梁２２に複数本の四角筒状の鋼製の床小梁２４を差し渡し、この床小梁２４の上に複数本の木製の床根太２５を架け渡して取り付け、この床根太２５の上に床材２６を取り付けて床を形成し、相対する天井梁２３に木製の天井野縁２７を差し渡し、この天井野縁２７の下面に天井材２８を取り付け、上側に厚み１２ｍｍの石膏ボードの耐火板７を取り付けて天井を形成し、壁を設ける場所には、天井梁２３と床梁２２との間に間柱２９を取り付け、この間柱２９の屋外側に外壁を、又、屋内側に内壁を取り付け、この内壁と外壁との間に断熱材を取り付けて壁を形成したものであり、ほぼ中央の床小梁２４の上方の床材２６の上に１階床上界壁パネル５１が立設され、この上に天井上界壁パネル５２が立設されたものである。
【００１９】
従って、図２に示すように、この１階床上界壁パネル５１は、ほぼ中央の天井野縁２７の間を通過し、この床上界壁パネル５１の上に天井上界壁パネル５２が連結されて、１階界壁５が形成されていて、この界壁５が通過する場所には天井材２８および耐火板７は取り付けられてない。
なお、１階界壁５と天井材２８とのコーナー部には回り縁８が取り付けられて、このコーナー部の隙間を覆っている。
【００２０】
２階の界壁付き建物ユニット３は、図５（イ）に示すように、上記汎用建物ユニット１に２階床上界壁パネル６１、２階天井上界壁パネル６２および２階の床下界壁パネル６３とからなる２階界壁６が取り付けられたものである。この２階の界壁付き建物ユニット３を１階の界壁付き建物ユニット２と比較すると、図５（ロ）、（ハ）に示すように、床下に床下界壁壁パネル６３が床小梁３４を中に入れた状態に取り付けられていること、床小梁３４の上に鋼板の金属板８５が溶接されて取り付けられていること、床上界壁パネル６２は床材の上でなく、金属板８５の上に立設されている（従って、この床上界壁パネル６２は１階の床上界壁パネル６１と比較すると高さが床根太と床材の厚みだけ高くなっている）ことが異なる。
【００２１】
詳細に説明すると、２階床上界壁パネル６１は、厚みがほぼ１４８ｍｍ、高さがほぼ２４６３ｍｍ（２階の界壁付き建物ユニット３の床から天井までの高さとほぼ等しい長さ（ほぼ２３９７ｍｍ）＋床材３６の厚み（ほぼ１５ｍｍ）＋床根太３５の厚み（ほぼ５１ｍｍ））のパネルであり、枠体６１１に厚みほぼ１２ｍｍの石膏ボード６１２が取り付けられ、この上に厚みほぼ１２ｍｍの石膏ボード６１４が取り付けられたものが断熱板６１９を挟んで一体となったものである。
【００２２】
又、２階床下界壁パネル６３は、厚みがほぼ１４８ｍｍ、高さがほぼ１２９ｍｍ（２階の界壁付き建物ユニット３の床梁３２の下面から床根太３５の下までの高さとほぼ等しい長さ）のパネルであり、図７に示すように、枠材６３１の両側に厚みほぼ１５ｍｍの合板６３６が取り付けられ、この合板６３６の上に厚みほぼ１２ｍｍの石膏ボード６３２が取り付けられ、この上に厚みほぼ４ｍｍの石綿セメント珪酸カルシウム板６３３が取り付けられ、更に、その上に厚みほぼ１２ｍｍの石膏ボード６３４が取り付けられたものである。そして、上部には床根太３５を挿入するだけの空間６３７が形成されている。
【００２３】
又、２階天井上界壁パネル６２は、１階天井上界壁パネル５２とほぼ同じ構造であるので説明を省略する。
【００２４】
そして、２階の界壁付き建物ユニット３は、図５（イ）に示すように、方形の四隅に配置された４本の四角筒状の鋼製の柱３１と、４本の柱の下端部を辺に沿って連結する４本の断面コ字形の鋼製の床梁３２と、４本の柱の上端部を辺に沿って連結する４本の断面コ字形の鋼製の天井梁３３とからなる骨格を有し、この骨格の相対する床梁３２に複数本の四角筒状の鋼製の床小梁３４を差し渡し、この床小梁３４の上に複数本の木製の床根太３５を架け渡して取り付け、この床根太３５の上に床材３６を取り付けて床を形成し、相対する天井梁３３に木製の天井野縁３７を差し渡し、この天井野縁３７の下面に天井材３８を取り付け、上面に厚み１２ｍｍの石膏ボードの耐火板７を取り付けて天井を形成し、壁を設ける場所には、天井梁３３と床梁３２との間に間柱３９を取り付け、この間柱３９の屋外側に外壁を、又、屋内側に内壁を取り付け、この内壁と外壁との間に断熱材を取り付けて壁を形成したものであり、ほぼ中央の床小梁２４の下方に２階の床下界壁パネル６３が取り付けられ、この床小梁３４の上に金属板８５が取り付けられ、この金属板８５の上に２階床上界壁パネル６１が立設され、この上に天井上界壁パネル６２が立設されている。
【００２５】
従って、図２に示すように、２階床下界壁パネル６３は床小梁３４を中に挿入した状態に取り付けられ、この上に２階床上界壁パネル６１が取り付けられ、この２階床上界壁パネル６１は、ほぼ中央の天井野縁３７の間を通過し、この床上界壁パネル６１の上に天井上界壁パネル６２が連結されて、２階界壁６が形成されていて、この界壁６が通過する場所には天井材３８および耐火板７は取り付けられてない。
【００２６】
なお、１階界壁５と天井材２８とのコーナー部には回り縁８が取り付けられて、このコーナー部の隙間を覆っている。
この界壁６の取付構造を更に詳細に説明する。
界壁６は２階の建物ユニット３の床小梁３４位置で床と交差している。
そして、図５（ロ）、（ハ）に示すように、この界壁６と交差する部分の床根太３５が切り取られ、この床根太３５の切り取られた端部３５１が床小梁３４の上に取り付けられた金属板８５の上に載せられている。
【００２７】
従って、界壁６と床と交差する部分では、床上界壁パネル６１と床下界壁パネル６３との間に金属板８５と金属製の床小梁３４があるだけで木製の床根太３５は切り取られてない。即ち、一方から他方に貫通した燃え易い床根太３５等の木製品がなく、防火性能のよい界壁６となっている。
また、この床根太３５の切り取られた端部は床小梁３４の上に取り付けられた金属板８５の上に載せられているから、この床根太３５の切り取られた端部は床小梁３４の上に取り付けられた金属板８５に支持され床根太３５の機械的強度は低下しない。
【００２８】
次に、この建物ユニットの仮屋根構造の施工方法および作用について説明する。
工場で、汎用建物ユニット１、１階の界壁付き建物ユニット２、２階の界壁付き建物ユニット３、折版屋根材４等を製造する。
この汎用建物ユニット１、１階の界壁付き建物ユニット２、２階の界壁付き建物ユニット３、折版屋根材４等を施工現場に運搬し、施工現場では、予め設けられている基礎９の上のほぼ中央に３個の１階の界壁付き建物ユニット２を据え付け、この両側に６個の汎用建物ユニット１を据え付けて１階を構成し、この１階の界壁付き建物ユニット２の上に２階の界壁付き建物ユニット３を据え付け、１階の汎用建物ユニット１の上に汎用建物ユニット１を据え付けて２階を構成し、この２階の界壁付き建物ユニット３の上と汎用建物ユニット１の上とに折版屋根材４を取り付け、種々な仕上げを行うとユニット建物Ｕが完成する。
【００２９】
この１階の界壁付き建物ユニット２の上に２階の界壁付き建物ユニット３を据え付ける際には、図２に示すように、１階の天井上界壁パネル５２の上端面に石綿保温板９４の両側に亜鉛鉄板９５が取り付けられたユニット間スペーサー９３を挟んで据え付けて両者を連結する。又、２階の界壁付き建物ユニット３の上に折版屋根材４を取り付けるときには、２階の天井上界壁パネル６２の上端面にコ字形に成形された石綿保温板９７の両側に亜鉛鉄板９８が取り付けられた小屋裏スペーサースペーサー９６を挟んで取り付ける。
【００３０】
このようにすると、１階の床材２６から小屋裏まで貫通した界壁５、６が形成され、この界壁５、６の中には床根太３５等の木製品がなく、従って、このユニット建物Ｕは一方から他方に燃え拡がることがない防火性能のよい建物である。
【００３１】
（実施例２）
図９および図１０は本発明の他の実施例を示すもので、（イ）は２階の界壁付き建物ユニットの床と界壁とが交差している場所の側面図、（ロ）は（イ）の床上界壁パネルを取り除いた状態の平面図、図１０は界壁金具を示す斜視図である。
【００３２】
この図９および図１０に示す実施例２を図１〜図８に示す実施例１と比較すると、２階の界壁付き建物ユニット３ａの床上界壁パネル６１ａと床下界壁パネル６３ａとの連結構造が異なる。
従って、この連結構造について説明する。
【００３３】
界壁６ａは２階の建物ユニット３ａの床小梁３４ａ位置で床と交差し、この界壁６ａと交差する部分の床根太３５ａが切り取られていること、界壁６ａは床と交差する位置で床上界壁パネル６１ａと床下界壁パネル６３ａとに分割されていることは実施例１とほぼ同じであるが、この切り取られた部分に界壁金具８３ａが取り付けられていることが異なる。
この界壁金具８３ａは、図１０に示すように、床根太３５ａの切断端面とほぼ同じ形状の相対する一対の支持板８４ａ、８４ａと、この支持板８４ａの下端に取付けられた金属板８５ａと上側金属板８６ａとからなる。
【００３４】
この界壁金具８３ａを、上側金属板８６ａと金属板８５ａとの間に切断された床根太３５ａの端部を入れて、床根太３５ａに取り付けると、床根太８５ａの下面に金属板８５ａが差し渡され、上側金属板８６ａが床根太３５ａの上面に架け渡され状態に取り付けられる。そして、この界壁金具８３ａが、図９に示すように、床小梁３４ａの上に取り付けられている。このような構造になっているので、床小梁３４ａの上に金属板８５ａが設けられ、この金属板８５ａの上に切り取られた床根太３５ａの端部が載り、この床根太３５ａの上面に上側金属板８６ａが架け渡された構造となっている。
【００３５】
そして、図９に示すように、床上界壁パネル６１ａは切り取られた両側の床根太３５ａの端部上面に架け渡された上側金属板８６ａの上面に立設され、床下界壁パネル６３ａは金属板８５ａの下面に、床小梁３４ａを内部に挿入した状態にして、取り付けられている。
従って、この床上界壁パネル６２ａを実施例１の床上界壁パネルと比較すると床上界壁パネル６２ａの高さが床根太３５ａと床材３６ａの厚みだけ低くなっている。
その他の構造は実施例１とほぼ同じであるので、説明を省略する。
【００３６】
このような構造になっているので、界壁６ａと床と交差する部分では、金属板８５ａ、上側金属板８６ａおよび金属製の床小梁３４ａがあるだけで、木製の床根太３５ａは切り取られている。即ち、界壁６ａの一方から他方に貫通した燃え易い床根太３５ａ等の木製品がなく、実施例２のユニット建物は防火性能のよい界壁６ａで区切られている。
また、この床根太３５ａの切り取られた端部は床小梁３４ａの上に取り付けられた金属板７５ａの上に載せられているから、この床根太３５ａの切り取られた端部は床小梁３４ａの上に取り付けられた金属板７５ａに支持され床根太３５ａの機械的強度は低下しない。
【００３７】
【発明の効果】
以上の説明で判るように、請求項１記載の発明は、界壁が上階の建物ユニットの床小梁に沿った位置で床と交差し、この界壁と交差する部分の床根太が切り取られ、界壁は床と交差する位置で、床上界壁と床下界壁とに分割され、この床上界壁は金属板の上面に立設され、床下界壁はこの金属板の下面に、床小梁を内部に挿入した状態にして、取り付けられているから、界壁の一方から他方に貫通した燃え易い床根太等の木製品がなく、請求項１記載のユニット建物は防火性能のよい界壁で区切られている。
また、この床根太の切り取られた端部は床小梁の上に設けられた金属板の上に載せられているから、床根太の機械的強度は低下しない。
【００３８】
請求項２記載の発明は、界壁が上階の建物ユニットの床小梁に沿った位置で床と交差し、この界壁と交差する部分の床根太が切り取られ、この界壁は床と交差する位置で床上界壁と床下界壁とに分割され、床上界壁は切り取られた両側の床根太の端部上面に架け渡された上側金属板の上面に立設され、床下界壁は床小梁の上に設けられた金属板の下面に、床小梁を内部に挿入した状態にして、取り付けられているから、界壁の一方から他方に貫通した燃え易い床根太等の木製品がなく、請求項２記載のユニット建物は防火性能のよい界壁で区切られている。
また、この床根太の切り取られた端部は床小梁の上に設けられた金属板の上に載せられているから、床根太の機械的強度は低下しない。
【図面の簡単な説明】
【図１】本発明のユニット建物の一実施例を示すもので、ユニット建物を示す斜視説明図である。
【図２】図１のＡ−Ａ線における一部省略の断面図である。
【図３】汎用建物ユニットの構造を示す一部切欠斜視図である。
【図４】１階の界壁付き建物ユニットの構造を示す一部切欠斜視図である。
【図５】（イ）は２階の界壁付き建物ユニットの構造を示す一部切欠斜視図、（ロ）は（イ）のＢ部分の側面図、（ハ）は（イ）の床上界壁パネルを取り除いた状態の平面図である。
【図６】床上界壁パネルの一部切欠斜視図である。
【図７】床下界壁パネルの一部切欠斜視図である。
【図８】天井上界壁パネルの一部切欠切欠図である。
【図９】本発明の他の実施例を示すもので、（イ）は２階の界壁付き建物ユニットの床と界壁とが交差している場所の側面図、（ロ）は（イ）の床上界壁パネルを取り除いた状態の平面図である。
【図１０】界壁金具を示す斜視図である。
【符号の説明】
１                  汎用建物ユニット
２                  １階の界壁付き建物ユニット
３、３ａ            ２階の界壁付き建物ユニット
３４、３４ａ        床小梁
３５、３５ａ        床根太
５                  １階の界壁
５１                床上界壁（床上界壁パネル）
５２                天井上界壁（天井上界壁パネル）
６、６ａ            ２階の界壁
６１、６１ａ        床上界壁（床上界壁パネル）
６２                天井上界壁パネル
６３、６３ａ        床下界壁（床下界壁パネル）
８５、８５ａ        金属板
８６ａ              下側金属板
【図１】
0004081204.tif 000002
【図２】
0004081204.tif 000003
【図３】
0004081204.tif 000004
【図４】
0004081204.tif 000005
【図５】
0004081204.tif 000006
【図６】
0004081204.tif 000007
【図７】
0004081204.tif 000008
【図８】
0004081204.tif 000009
【図９】
0004081204.tif 000010
【図１０】
0004081204.tif 000011